(57)【要約】      （修正有）【課題】ポンプの吸引側の第１タンクからの液体取出管が大量に空気を吸引しても、ポンプの吐出側の第２タンクの液体の少量をポンプ吸引側に補充することにより、液体移送系を簡易に復元することが可能な液体移送装置を提供する。【解決手段】ポンプ４は非自吸式ポンプとし、ポンプの吸引側を第１タンク２からの液体取出管２２の一端と連通し、ポンプの吐出側を第２タンク３の上部に設けた液体注入口３１に連通した液体注入管３２に連通するとともに、第２タンク３の下部と液体注入管２１を介して第１タンク２に連通して移送系を形成し、かつポンプの吸引側には、第１タンク２からの液体取出管２２より細径の液体注入管５を介して第２タンク３の底部近傍と連通して第２タンク３の液体の少量をポンプの吸引側に補給することにより、第１タンク２から吸い出した液体とは別に第２タンク３とポンプ４とで少量の循環系を形成する。【選択図】図１
0003127770.tif 000002
【実用新案登録請求の範囲】
【請求項１】
液体を装填した２槽のタンク間に設置したポンプによって液体を移送させる移送装置において、前記ポンプは非自吸式ポンプとし、ポンプの吸引側を第１タンクからの液体取出管の一端と連通し、ポンプの吐出側を第２タンクの上部に設けた液体注入口に連通した液体注入管に連通するとともに、第２タンクの下部と液体注入管を介して第１タンクに連通して移送系を形成し、かつポンプの吸引側には、第１タンクからの液体取出管より細径の液体注入管を介して第２タンクの底部近傍と連通して第２タンクの液体の少量をポンプの吸引側に補給することにより、第１タンクから吸い出した液体とは別に第２タンクとポンプとで少量の循環系を形成するようになしたことを特徴とする液体移送装置。
【請求項２】
前記ポンプは、第２タンクの底面よりも下方に設置したことを特徴とする請求項１記載の液体移送装置。
【請求項３】
前記第１タンクは上部開放型とし、第２タンクは密閉型タンクとしたことを特徴とする請求項１記載の液体移送装置。
【考案の詳細な説明】
【技術分野】
【０００１】  本考案は、液体を装填した２槽のタンク間に設置したポンプによって液体を移送させる液体移送装置に関するものである。
【背景技術】
【０００２】  液体移送装置としては、各種の装置が知られているが、例えば第２タンクを濾過材を備えた浄化用タンクとし、第１タンクを浄化処理水を貯留して使用に供し、かつ使用後の汚れを含んだ使用水をも貯留する上部開放型の貯留タンクとし、両タンク間に設置したポンプによって両タンクの水等の液体を循環又は移送させることによって、常時又は間欠的に、濾過処理を施して浄化された清浄な液体を保持するようになした液体移送装置が広く使用されている。
【考案の開示】
【考案が解決しようとする課題】
【０００３】  上記の液体移送装置においては、液体を装填した上部開放型の第１タンクからタンク底部からではなく、タンクの液面より高い上部からタンク内の液面に達する液体取出管を介してポンプによって液体を吸い出して第２タンクへと送液させる場合が一般に行われているが、この場合には、ポンプに高価な自吸式ポンプを使用しない場合には、ポンプの吸引側のタンクからの液体取出管が液面から誤って持ち上がったり又は液面が下がったりして液体取出管に大量に空気が吸引されてしまい、その後に液体取出管の先端を液体面下に入れても液面を上げてもポンプの空気抜きをしなければ、液体を吸引することができなかった。このように、ポンプの吸引側のタンクから大量に空気を吸引したときやポンプを停止したときなどにポンプが空気を噛んで吸い込まなくなる欠点があり、高価な自吸式ポンプを使用せざるを得なくなり、液体移送装置のコストが高くなって、安価な液体移送装置の提供ができないという致命的な欠点があった。【０００４】  また、ポンプとして呼び水タンク付き非自吸式ポンプを使用する手段もあるが、これは呼び水タンクの準備のためにコストが高くなるのみならず、空気を噛んで呼び水を使用したときに自動的に水を補給することができないので、そのたびに呼び水タンクの小さな投入口から水を手動で補給せねばならず、煩雑であり、しかも水が溢れるなどの欠点もあって、作業性に問題があった。【０００５】  本考案は、呼び水タンク付きでない非自吸式ポンプを使用した場合において、ポンプの吸引側の第１タンクからの液体取出管が大量に空気を吸引しても、ポンプの吐出側の第２タンクの液体の少量をポンプ吸引側に補充することにより、送液系を簡易に復元することが可能な液体移送装置を提供することを目的とするものである。
【課題を解決するための手段】
【０００６】  本考案は、上記目的を達成するものであって、液体を装填した２槽のタンク間に設置したポンプによって液体を移送させる移送装置において、前記ポンプは非自吸式ポンプとし、ポンプの吸引側を第１タンクからの液体取出管の一端と連通し、ポンプの吐出側を第２タンクの上部に設けた液体注入口に連通した液体注入管に連通するとともに、第２タンクの液面より下方と液体注入管を介して第１タンクに連通して移送系を形成し、かつポンプの吸引側には、第１タンクからの液体取出管より細径の液体注入管を介して第２タンクの底部近傍と連通して第２タンクの液体の少量をポンプの吸引側に補給することにより、第１タンクから吸い出した液体とは別に第２タンクとポンプとで少量の循環系を形成するようになしたことを特徴とする液体移送装置である。【０００７】  前記ポンプは、第２タンクの底面よりも下方に設置することが望ましく、前記第１タンクは上部開放型とし、第２タンクは密閉型タンクとすることが望ましい。
【考案の効果】
【０００８】  本考案の液体移送装置によれば、液体を装填した２槽のタンク間に設置したポンプによって液体を移送させる送液装置において、前記ポンプとして呼び水タンク付きでない安価な非自吸式ポンプを使用し、ポンプの吸引側の第１タンクからの液体取出管が大量に空気が吸引するという不測の事故が生じた場合であっても、ポンプの吐出側の第１タンクの液体の少量をポンプ吸引側に供給することにより、液体移送系を復元することが可能である。すなわち、第２タンクの下部から細い液体取出管を介してポンプの吸引側にバイパスを設けることにより、第１タンクからの液体取出管に空気が入って液体が十分に充填されていない不測の場合であっても、第２タンクの底に少しの液体が存在すれば、このタンクから液体を補充することにより、ポンプから液体を吐出することができ、従って第１タンクからの液体取出管内は真空状態となり、第１タンクから液体がポンプに吸い込まれ、ポンプの空転を回避することができ、安定した送液操作を継続することが可能である。【０００９】  本考案では、上部開放型の第１タンクの液面より上方から液体取出管を介して液体をポンプによって吸い出し、第２タンク内を通過させて再び第１タンクに液体を戻す循環系や他へ送液する系体を形成することができるので、第２タンクの底部から、液体全移送量に比して少量の液体が通過する細管でポンプの吸引側にバイパスを設けることにより、もし第１タンクからの吸い込みで空気を吸引しても、この細管から液体が補給されるので、ポンプのインペラーの所では、空気を噛まず、この細管からの液体をインペラーで吐出しながら負圧を作り、第１タンクから液体を再び汲い込むことができ、送液操作を継続することができる。
【考案を実施するための最良の形態】
【００１０】  以下、図面に基づいて本考案の実施態様を詳細に説明する。【００１１】  先ず、本考案の液体移送装置について説明する。
図１において、１は本考案の液体移送装置であって、該液体移送装置１は、主として第１タンク２と、第２タンク３と、両タンク間に設置したポンプ４とから主としてなっている。【００１２】  第１タンク２は、水等の液体の保持されたタンクであって、例えば浄化処理水を貯留して使用に供し、かつ使用後の汚れを含んだ使用水をも貯留する貯留タンクであるが、これに限らない。第１タンク２は、上部開放型タンクであることが望ましいが、これに限らない。第１タンク２は、下部に液体を備えたものであれば良く、タンク全体に液体が装填されていなくても良い。【００１３】  第２タンク３は、水等の液体の保持されたタンクであって、例えば濾過材等を備えた濾過タンクであるが、これに限らない。第２タンク３は、密閉型タンクとすることが望ましいが、これに限らない。第２タンク３は、その上部には液体注入口３１が設けられていて、ポンプ４と連通した液体注入管３２に連通している。第２タンク３の下部近傍には液体取出口３３が設けられていて、第１タンク２の液体注入管２１の一端と連通している。なお、第１タンク２と液体注入管２１とは、液体の移送が可能であれば良く、図示のように空隙が存在しても良く、存在しなくても良い。第２タンク３は、液体取出口３３よりも上方に液体を備えたものであれば良く、タンク全体に液体が装填されていなくても良い。なお、液体取出口３３は、第２タンク３の底部近傍にあればよく、底面にあっても良いが、これに限らない。液体注入管３１は第１タンク２に循環されることなく、他のタンク等に送液することも可能である。【００１４】  ポンプ４は、液体を装填した２槽のタンク２，３間に設置されており、ポンプ４の吐出側を第２タンク３の上部に設けた液体注入口３１に連通した液体注入管３２に連通し、第１タンク２からの液体取出管２２の一端をポンプ４の吸引側と連通するとともに、第２タンク３の下部と液体注入管２１を介して第１タンク２に連通して移送系を形成し、かつポンプ４の吸引側には、前記液体取出管２２よりかなり細径の液体注入管５を連結して第２タンク３の液体の一部をポンプ吸引側に供給するようになっている。液体注入管５は第２タンク３の底部近傍に連結されていてもよく、液体取出管２２に連結されていてもよい。ポンプ４は、第２タンク３の底面よりも下方に設置することが望ましく、この場合には第２タンク３からポンプ４への少量の液体の補充が容易であり、常時、安定して供給することが可能である。【００１５】  ポンプ４としては、高価な自吸式ポンプでない安価な非自吸式ポンプを使用する。非自吸式ポンプを使用する場合には、一般に、呼び水タンクを常備しておき、その呼び水を使用することが必要であるが、本考案の液体移送装置においては、第２タンク３の液体の少量を細いホースでポンプに供給することにより、呼び水として再利用することができるので、非常に安価な非自吸式ポンプを使用することができる。この場合において、ポンプを第２タンク３の底面よりも低く設置することにより、第２タンク３からのバイパスの細管５からの少量の液体がポンプの吸引側に常時補給されることとなり、第１タンク２からの液体取出管２２に不測の原因で空気が入ったしてもポンプ４のイン���ラー４１で不測の原因で入った空気を細管５で液体を補充しながら吐出して負圧を作り、第１タンク２から液体を再び吸い込むことができ、液体移送系の復元を可能とするものである。
【図面の簡単な説明】
【００１６】
【図１】  本考案の液体移送装置の一例を示す概略図である。
【符号の説明】
【００１７】    １      液体移送装置
２      第１タンク
２１    液体注入管
２２    液体取出管
３      第２タンク
３１    液体注入口
３２    液体注入管
３３    液体取出口
４      ポンプ
４１    インペラー
５      細管
【図１】
0003127770.tif 000003